(57)【特許請求の範囲】
【請求項１】
底部にガス入口とガス出口が所定の出入口ピッチをあけて配置され下方に向かって開口されたガスメータの接続支持ユニットであって、
ガス流路を開閉するガス栓、当該ガス栓の入口とガス入側配管を接続する第１継手、および当該ガス栓の出口とガスメータのガス入口を接続する第２継手を有する入口配管部と、
ガス圧を検出する検圧プラグ、当該検圧プラグの入口とガスメータのガス出口を接続する第３継手、および当該検圧プラグの出口とガス出側配管を接続する第４継手を有する出口配管部と、
前記ガス栓と前記検圧プラグとを一体に成形した支持フレーム部と、
当該支持フレーム部を壁面または地盤に固定する支持部材とを具備し、
第１継手乃至第４継手の接続口の接続軸を互いに平行に配置するとともに、前記ガス栓のガス流路と前記検圧プラグのガス流路をガスメータ側からガス入側配管およびガス出側配管側ほど互いに接近するようにそれぞれ傾斜させて、第１継手と第４継手の接続口の出入側配管ピッチを、ガスメータの前記出入口ピッチより小さくした
ことを特徴とするガスメータの接続支持ユニット。
【請求項２】
支持部材を、支持フレーム部に連結される連結部と、当該連結部から背面側に伸びる中間部と、当該中間部に連結されて固定側である壁面に固定される取付部を有する取付具とし、
支持フレーム部の背面に、前記取付具の連結部を下方から挿入可能な開口部を有し上面が閉鎖された支持用穴部が一体形成された
ことを特徴とする請求項１記載のガスメータの接続支持ユニット。
【請求項３】
支持部材を、固定側である地盤または床面に立設固定される支柱とし、
支持フレーム部の背面に、前記支柱の上端部を下方から挿入可能な開口部を有し上面が閉鎖された支持用穴部が一体形成された
ことを特徴とする請求項１記載のガスメータの接続支持ユニット。
【請求項４】
地盤または床面から第１継手および第４継手に至るガス入側配管およびガス出側配管の少なくとも一部をフレキシブル管で構成するとともに、これらフレキシブル管の外周部を覆うカバー体を設け、
当該カバー体を壁面に固定した
ことを特徴とする請求項２記載のガスメータの接続支持ユニット。
【請求項５】
地盤または床面から第１継手および第４継手に至るガス入側配管およびガス出側配管の少なくとも一部をフレキシブル管で構成するとともに、これらフレキシブル管の外周部を覆うカバー体を設け、
当該カバー体を支柱に固定した
ことを特徴とする請求項３記載のガスメータの接続支持ユニット。
【発明の詳細な説明】
【技術分野】
【０００１】
本発明は、小型ガスメータを取り付けるためのガスメータの接続支持ユニットに関する。
【背景技術】
【０００２】
超音波式などの流量センサを内蔵した小型ガスメータには、底部にガス入口とガス出口を下向きに設けたものがあり、この小型ガスメータを取り付けるために、特許文献１には、壁面に取り付けられる支持プレートの左側で、ガス入り側配管とガスメータの入口とを継手を介してそれぞれ接続するガス栓と、支持プレートの右側で、ガスメータの出口とガス出側配管とを継手を介してそれぞれ接続する検圧プラグとを具備したガスメータ取付ユニットが提案されている。
【先行技術文献】
【特許文献】
【０００３】
【特許文献１】特開２００９−６３５４６号公報
【発明の概要】
【発明が解決しようとする課題】
【０００４】
しかしながら、小型ガスメータであっても、底部に設けられたガス入口とガス出口の間隔は十分な出入口ピッチを確保しており、ガス栓の入口からガスメータのガス入口に至るガス流路と、ガスメータのガス出口から検圧プラグの出口に至るガス流路が互いに平行に形成されている。
【０００５】
このため、地盤や床面からガスメータに接続されるガス入側配管およびガス出側配管は、ガス栓の入口および検圧プラグの出口を通って互いに平行になるように立設配置されているため、ガス入側配管とガス出側配管の出入側配管ピッチが大きい。このように出入側配管ピッチが大きいと、たとえばメータ等収納ボックス内の容積を広く占有したり、地盤や床面から立ち上がる場合にも、障害物との干渉があったり、意匠性が低下するなどの問題がある。また上記ガスメータ取付ユニットにおいて、出入側配管ピッチを小さくする場合には、エルボ管などの部品を追加する必要があり、部品コストが嵩むという問題がある。
【０００６】
本発明は上記問題点を解決して、部品コストが嵩むことなく、ガスメータへの出入側配管ピッチを小さくでき、出入側配管のコンパクト化を図りと意匠性を向上させることができるガスメータの接続支持ユニットを提供することを目的とする。
【課題を解決するための手段】
【０００７】
請求項１記載の発明は、
底部にガス入口とガス出口が所定の出入口ピッチをあけて配置され下方に向かって開口されたガスメータの接続支持ユニットであって、
ガス流路を開閉するガス栓、当該ガス栓の入口とガス入側配管を接続する第１継手、および当該ガス栓の出口とガスメータのガス入口を接続する第２継手を有する入口配管部と、
ガス圧を検出する検圧プラグ、当該検圧プラグの入口とガスメータのガス出口を接続する第３継手、および当該検圧プラグの出口とガス出側配管を接続する第４継手を有する出口配管部と、
前記ガス栓と前記検圧プラグとを一体に成形した支持フレーム部と、
当該支持フレーム部を壁面または地盤に固定する支持部材とを具備し、
第１継手乃至第４継手の接続口の接続軸を互いに平行に配置するとともに、前記ガス栓のガス流路と前記検圧プラグのガス流路をガスメータ側からガス入側配管およびガス出側配管側ほど互いに接近するようにそれぞれ傾斜させて、第１継手と第４継手の接続口の出入側配管ピッチを、ガスメータの前記出入口ピッチより小さくしたものである。
【０００８】
請求項２記載の発明は、請求項１記載の構成において、
支持部材を、支持フレーム部に連結される連結部と、当該連結部から背面側に伸びる中間部と、当該中間部に連結されて固定側である壁面に固定される取付部を有する取付具とし、
支持フレーム部の背面に、前記取付具の連結部を下方から挿入可能な開口部を有し上面が閉鎖された支持用穴部が一体形成されたものである。
【０００９】
請求項３の発明は、請求項１記載の構成において、
支持部材を、固定側である地盤または床面に立設固定される支柱とし、
支持フレーム部の背面に、前記支柱の上端部を下方から挿入可能な開口部を有し上面が閉鎖された支持用穴部を一体形成したものである。
【００１０】
請求項４の発明は、請求項２記載の構成において、
地盤または床面から第１継手および第４継手に至るガス入側配管およびガス出側配管の少なくとも一部をフレキシブル管で構成するとともに、これらフレキシブル管の外周部を覆うカバー体を設け、
当該カバー体を壁面に固定したものである。
【００１１】
請求項５の発明は、請求項３記載の構成において、
地盤または床面から第１継手および第４継手に至るガス入側配管およびガス出側配管の少なくとも一部をフレキシブル管で構成するとともに、これらフレキシブル管の外周部を覆うカバー体を設け、
当該カバー体を支柱に固定したものである。
【発明の効果】
【００１２】
請求項１記載の発明によれば、支持フレーム部により一体に形成されたガス栓と検圧プラグの各ガス流路を、ガス入側配管およびガス出側配管側ほど接近するように傾斜させることにより、第１継手と第４継手の接続口の出入側配管ピッチを、ガスメータの出入口ピッチより小さくしたので、部品コストが嵩むことなく、第１継手と第４継手に接続されるガス入側配管とガス出側配管を接近して配管することができる。したがって、メータ収納ボックス内のガス入側配管およびガス出側配管の占有容積を小さくでき、戸外で立ち上げる場合でも、障害物との接触を回避できて、出入側配管のコンパクト化を図り、意匠性を向上させることができる。またガス栓と検圧プラグとが一体に形成されるので、部品点数を少なくしてガスメータの新設、交換作業を迅速に行うことができる。
【００１３】
請求項２記載の発明によれば、取付具により支持フレーム部を介してガスメータを容易に壁面に支持することができる。また取付具は、その連結部を上面が閉鎖された支持用穴部に挿入固定するので、取付具と支持フレーム部の連結部を単純な形状に形成でき、清掃を容易に行うことができて、意匠性も向上できる。
【００１４】
請求項３記載の発明によれば、支柱により小型ガスメータを容易に支持することができる。また支柱の連結部では、上面が閉鎖された支持用穴部に挿入固定するので、支柱と支持フレーム部の連結部を単純な形状に形成でき、清掃も容易に行うことができて、意匠性も向上できる。
【００１５】
請求項４または５記載の発明によれば、カバー体により、ガス入側配管とガス出側配管の強度を補強して壁面または支柱で保持できるとともに、外圧による破損を防止して安全性と美観を向上することができる。
【図面の簡単な説明】
【００１６】
【図１】本発明に係るガスメータの接続支持ユニットの実施例１を示す正面図である。
【図２】接続ユニット部を示す側面部である。
【図３】図１に示すＡ−Ａ断面図である。
【図４】図２に示すＢ−Ｂ断面図である。
【図５】（ａ）および（ｂ）はガスメータの支持構造を示し、（ａ）は、正面図、（ｂ）は側面図である。
【図６】（ａ）および（ｂ）は本発明に係るガスメータの接続支持ユニットの実施例２を示し、（ａ）はガスメータの支持構造を示す全体側面図、（ｂ）は（ａ）に示すＣ部拡大図である。
【図７】図６（ａ）に示すＤ−Ｄ断面図である。
【発明を実施するための形態】
【実施例】
【００１７】
以下、本発明の実施例を図面に基づいて説明する。
（実施例）
図５に示すように、屋外側配管１４に接続されて地盤ＧＬ中から建物の壁面４０に平行に立ち上げられたガス入側配管１２と、小型ガスメータ１１から建物の壁面４０に平行に立ち下げられて地盤ＧＬ中に埋設され屋内側配管１５に接続されるガス出側配管１３とが互いに平行に立設配置されている。これらガス入側配管１２およびガス出側配管１３は、たとえば金属製波形管を樹脂製チューブで覆ったフレキシブル管によりそれぞれ構成されている。ここで、ガス入側配管１２とガス出側配管１３の出入側配管ピッチＰ１は、たとえば７０ｍｍである。１６はガス入側配管１２とガス出側配管１３の外周部を覆うカバー体で、壁面４０に取り付けられている。
【００１８】
なお、ガスメータ１１に接続されるガス入側配管１２およびガス出側配管１３のガス管の種類としては、戸建て用ではライニング鋼管（ＰＥ管）、集合住宅用では炭素鋼管（ＳＧＰ）などが使用される。
【００１９】
図１〜図３に示すように、小型ガスメータ１１は、筐体１１ａ内に超音波式流量センサを内蔵するとともに、正面にガス流量の表示部１１ｂが設けられたもので、筐体１１ａの底部左側にガス入口１１ｉが下向きに形成され、また底部右側にガス出口１１ｏが下向きに形成されており、ここでガス入口１１ｉとガス出口１１ｏの間の出入口ピッチＰ２は、たとえば１３０ｍｍである。
【００２０】
小型ガスメータ１１と、ガス入側配管１２およびガス出側配管１３の間に、本発明に係る接続支持ユニット２０が介装されている。この接続支持ユニット２０は、入口配管部２１のガス栓２３と出口配管部３１の検圧プラグ３３とが本体フレーム部４１により一体に形成されたものである。
【００２１】
入口配管部２１は、入口ガス流路２６を開閉するガス栓２３と、ガス入側配管１２とガス栓２３の入口を接続する第１継手２２と、ガス栓２３の出口とガスメータ１１のガス入口１１ｉを接続する第２継手２４を具備している。また出口配管部３１は、出口ガス流路３６のガス圧を検出可能な検圧プラグ３３と、ガスメータ１１のガス出口１１ｏと検圧プラグ３３の入口を接続する第３継手３２と、検圧プラグ３３の出口とガス出側配管１３を接続する第４継手３４とを具備している。
【００２２】
図５に示すように、第１継手２２は、ガス入側配管１２の出口に取り付けられたフレキシブル管用の管継手１２ａの雄ねじ部が装着される雌ねじ部２２ａにより構成されている。第２継手２４は、ガスメータ１１のガス入口１１ｉに形成された受け口１１ｃに嵌合される挿し口２４ａと、ガス入口１１ｉの外周部に形成された雄ねじ部１１ｄに嵌合される袋ナット２４ｂとを有するユニオン継手により構成されている。
【００２３】
第３継手３２は、ガスメータ１１のガス出口１１ｏに形成された受け口１１ｅに嵌合される挿し口３２ａと、ガス出口１１ｏの外周部に形成された雄ねじ部１１ｆに嵌合される袋ナット３２ｂとを有するユニオン継手により構成されている。第４継手３４は、ガス出側配管１３の出口に取り付けられたフレキシブル管用の管継手１３ａの雄ねじ部が装着される雌ねじ部３４ａにより構成されている。
【００２４】
ここで、ガス入口１１ｉおよびガス出口１１ｏの接続軸と、第２，第３継手２４，３２の接続軸はそれぞれ一致し、第１〜第４継手２２，２４，３２，３４の接続軸Ｏ１〜Ｏ４は互いに平行に形成されている。
【００２５】
なお、上記第１〜第４継手２２，２４，３２，３４は、それぞれの形式に限定されるものではない。
ガス栓２３は、栓本体（本体フレーム）２５に第１継手２２と第２継手２４とを接続する入側ガス流路（ガス流路）２６が形成され、入側ガス流路２６は、第２継手２４の接続口から第１継手２２の接続口に、接続軸Ｏ１，Ｏ２に対してたとえば入側流路傾斜角θ１＝４５°で下方内側に傾斜されている。一方、検圧プラグ３３は、プラグ本体（本体フレーム）３５に第３継手３２と第４継手３４とを接続する出側ガス流路（ガス流路）３６が形成され、この出側ガス流路３６は、第３継手３２から第４継手３４に、前記ガス栓２３の入側ガス流路２６に対して下位ほど互いに接近するように、接続軸Ｏ３，Ｏ４に対してたとえば出側流路傾斜角θ２＝４５°で下方内側に傾斜されている。これにより、出入側配管ピッチＰ１が小型ガスメータ１１の出入口ピッチＰ２より小さく設定され、Ｐ１／Ｐ２≒０．５４としている。ここで、入側および出側流路傾斜角θ１，θ２は、出入側配管ピッチＰ１が小さくなりすぎて、接続作業などの支障を来たさないように、また流路抵抗が増大しないように、３０°≦θ１，θ２≦〜６０°の範囲で設定される。
【００２６】
ガス栓２３の入側ガス流路２６には、円柱状の弁室２７が入側ガス流路２６に前後方向に直交交差する開閉軸Ｏａ周りに形成され、この弁室２７内に、入側ガス流路２６を開閉する弁穴２８ａを有する弁体２８がシール部材を介して回動自在に配置されている。したがって、開閉コック２９により弁体２８を開閉軸Ｏａ周りに９０°回動することにより、弁穴２８ａにより入側ガス流路２６を連通遮断して開閉することができる。
【００２７】
検圧プラグ３３の出側ガス流路３６の中間位置に、入側ガス流路２６に直交して前方に分岐された分岐流路３７が形成され、プラグ本体３５の検査口３８に連通されている。この検査口３８は、ねじ部を介して閉鎖プラグ３９が離脱可能に装着されている。
【００２８】
支持フレーム部４１は、壁面４０に平行な板状のフレーム本体４２に、栓本体２５とプラグ本体３５が背面部を介して一体に連結されている。また支持フレーム部４１を壁面４０に固定するために、このフレーム本体４２の背面側に取付用ブロック部４７が一体に形成され、この取付用ブロック部４７に、取付具である取付板（支持部材）４３を装着する支持用穴部４４が形成されている。この支持用穴部４４は、下方から取付板４３を挿入可能な開口部を有し上面が閉鎖されており、外観がシンプルで、汚れを除去しやすい構造に形成されている。取付用ブロック部４７の背面には、取付板４３を固定する連結ボルト４５の挿入穴が穿孔されている。
【００２９】
取付板４３は、支持用穴部４４に挿入されて連結ボルト４５用のボルト穴４３ｄが形成された直立方向の連結部４３ａと、この連結部４３ａから下方背面側に傾斜される傾斜部（中間部）４３ｂと、この該傾斜部４３ｂから直立方向に折り曲げられた壁面４０に固定される取付部４３ｃからなり、取付部４３ｃに、壁面固定用のアンカーボルト４６のボルト穴が形成されている。
【００３０】
上記実施例によれば、支持フレーム部４１により一体に形成されたガス栓２３の入側ガス流路２６と検圧プラグ３３の出側ガス流路３６を、ガス入側配管１２およびガス出側配管１３側ほど接近するように傾斜させて、第１継手２２と第４継手３４の出入側配管ピッチＰ１を、ガスメータ１１のガス入口１１ｉとガス出口１１ｏ（第２継手２４と第３継手３２）の出入口ピッチＰ２より小さくしたので、部品コストが嵩むこともなく、ガス入側配管１２とガス出側配管１３を接近して配管することができる。したがって、メータ等収納ボックス内の占有容積を小さくできる。またガス栓２３と検圧プラグ３３とが一体に形成されるので、部品点数を少なくしてガスメータ１１の新設、交換作業を迅速に行うことができる。
【００３１】
また、取付板４３により小型ガスメータ１１を容易に壁面４０に固定することができる。さらに取付板４３の連結部を、上面が閉鎖された支持用穴部４４に挿入固定するので、連結部が単純な形状で清掃を容易に行うことができる。
【００３２】
さらにガス入側配管１２とガス出側配管１３を、壁面４０に取り付けたカバー体１６により覆うことで、フレキシブル管からなるガス入側配管１２とガス出側配管１３の強度を支柱で補強できるとともに外圧による破損を防止して安全性と美観を向上することができる。
【００３３】
（実施例２）
図６および図７に示すように、支持部材を、取付板４３に替えて、地盤ＧＬに立設固定された支柱５３としたものである。なお、実施例１と同一部材には同一符号を付して説明を省略する。
【００３４】
すなわち、フレーム本体５２の背面部に取付用ブロック部５１が形成され、この取付用ブロック部５１に、接続支持ユニット２０を地盤ＧＬ上に支持する支柱（支持部材）５４の上端部が挿入されて固定される支持用穴部５２が形成されている。この支持用穴部５２は、下方から挿入可能な開口部を有し上面が閉鎖されることにより、外観がシンプルで汚れを除去しやすい構造に形成されている。また取付用ブロック部５１は背面側に突出されて、ガス入側配管１２およびガス出側配管１３と支柱５３とを所定間隔Ｌをあけて配置することにより、ガス入側配管１２およびガス出側配管１３における接続等作業時に支柱５３が干渉しないように構成されている。ガス入側配管１２およびガス出側配管１３を覆うカバー体１６が支柱５３に取り付けられている。
【００３５】
実施例２によれば、支柱５３により小型ガスメータ１１を容易に支持することができ、障害物との接触を回避できてコンパクトに設置可能となり、意匠性に優れたガスメータ１１の接続配管構造および支持構造を提供することができる。また支柱５３は、その上端部を、接支持続ユニット２０の取付用ブロック部５１に形成された支持用穴５２に嵌め込んで連結ボルト４５により固定されるので、支柱５３と支持フレーム部４１との連結部を単純な形状に形成でき、清掃も容易に行うことができて、意匠性も向上できる。
【００３６】
また支柱５３に固定されたカバー体１６でガス入側配管１２およびガス出側配管１３を覆うことにより、ガス入側配管１２およびガス出側配管１３を補強できて支柱５３に支持させることができ、またガス入側配管１２とガス出側配管１３の外圧による破損を防止して安全性の向上と美観の向上を奏することができる。
【００３７】
なお、上記実施例１および２では、ガス入側配管１２およびガス出側配管１３を地盤ＧＬから立ち上げたが、集合住宅などの床面から立ち上げてもよい。
【符号の説明】
【００３８】
Ｐ１    出入側配管ピッチ
Ｐ２    出入口ピッチ
ＧＬ    地盤
θ１    入側流路傾斜角
θ２    出側流路傾斜角
１１    小型ガスメータ
１１ｉ  ガス入口
１１ｏ  ガス出口
１２    ガス入側配管
１３    ガス出側配管
１６    カバー体
２０    接続支持ユニット
２１    入口配管部
２２    第１継手
２３    ガス栓
２６    入側ガス流路（ガス流路）
３１    出口配管部
３２    第３継手
３３    検圧プラグ
３４    第４継手
３６    出側ガス流路（ガス流路）
３９    閉鎖プラグ
４０    壁面
４１    支持フレーム部
４２    フレーム本体
４３    取付板（支持部材）
４４    支持用穴部
４５    連結ボルト
４６    アンカーボルト
４７    取付用ブロック部
５１    取付用ブロック部
５２    支持用穴部
５３    支柱（支持部材）
【図１】
0005455865.tif 000002
【図２】
0005455865.tif 000003
【図３】
0005455865.tif 000004
【図４】
0005455865.tif 000005
【図５】
0005455865.tif 000006
【図６】
0005455865.tif 000007
【図７】
0005455865.tif 000008